(57)【要約】【課題】信号波形における判定エリアから外れる部位の発生の有無を短時間に判定する。【解決手段】判定対象信号Ｓ１の判定対象部位Ｗについての判定エリアＡを示すエリアデータＤａを記憶する記憶部４と、判定対象部位Ｗの波形データＤｗを入力しつつ記憶部４に記憶させる記憶処理を実行する処理部３とを備え、処理部３は、記憶処理の開始から完了までの間において、判定対象部位Ｗの一部の波形データＤｗを記憶部４に記憶させる都度、一部の波形データＤｗによって示される比較対象部位が記憶部４に記憶されているエリアデータＤａのうちのこの一部の波形データＤｗに対応するエリアデータＤａによって示される判定エリアＡに含まれているか否かの波形判定処理を実行する。【選択図】図１
2013007565.tif 000002
【特許請求の範囲】
【請求項１】
判定対象信号の判定対象部位についての判定エリアを示すエリアデータを記憶する記憶部と、
前記判定対象部位の波形データを入力しつつ前記記憶部に記憶させる記憶処理を実行する処理部とを備え、
前記処理部は、前記記憶処理の開始から完了までの間において、前記判定対象部位の一部の前記波形データを前記記憶部に記憶させる都度、当該一部の波形データによって示される比較対象部位が前記記憶部に記憶されている前記エリアデータのうちの当該一部の波形データに対応するエリアデータによって示される前記判定エリアに含まれているか否かの波形判定処理を実行する波形判定装置。
【請求項２】
表示部を備え、
前記処理部は、前記比較対象部位の少なくとも一部が前記判定エリアから外れているときに前記判定対象部位が異常であると判定して、その旨を前記表示部に表示させる請求項１記載の波形判定装置。
【請求項３】
前記処理部は、前記判定対象部位に含まれるすべての前記比較対象部位が全体に亘って前記判定エリアに含まれているときに当該判定対象部位が正常であると判定して、その旨を前記表示部に表示させる請求項２記載の波形判定装置。
【請求項４】
前記処理部は、少なくとも一部が前記判定エリアから外れている前記比較対象部位の後の前記比較対象部位に対して前記波形判定処理の実行を停止する請求項１または２記載の波形判定装置。
【請求項５】
表示部を備え、
前記処理部は、前記比較対象部位の少なくとも一部が前記判定エリアに含まれているときに前記判定対象部位が正常であると判定して、その旨を前記表示部に表示させる請求項１記載の波形判定装置。
【請求項６】
前記処理部は、前記判定対象部位に含まれるすべての前記比較対象部位が全体に亘って前記判定エリアから外れているときに当該判定対象部位が異常であると判定して、その旨を前記表示部に表示させる請求項５記載の波形判定装置。
【請求項７】
前記処理部は、少なくとも一部が前記判定エリアに含まれている前記比較対象部位の後の前記比較対象部位に対して前記波形判定処理の実行を停止する請求項１または５記載の波形判定装置。
【請求項８】
前記処理部は、前記記憶部に前記一部の波形データを記憶させる都度、前記記憶処理を開始した時点から当該記憶部に記憶させている当該一部の波形データまでのすべての波形データによって示される前記判定対象部位の画像と、当該すべての波形データに対応する前記エリアデータによって示される前記判定エリアの画像とを前記表示部に重ねて表示させる表示処理を実行する請求項２から４のいずれかに記載の波形判定装置。
【請求項９】
前記処理部は、前記比較対象部位の少なくとも一部が前記判定エリアから外れていることによって前記判定対象部位を異常であると判定したときに、前記表示処理の実行を停止する請求項８記載の波形判定装置。
【請求項１０】
前記処理部は、前記比較対象部位の少なくとも一部が前記判定エリアから外れていることによって前記判定対象部位を異常であると判定したときに、前記記憶処理の実行を停止する請求項９記載の波形判定装置。
【請求項１１】
前記処理部は、前記記憶部に前記一部の波形データを記憶させる都度、前記記憶処理を開始した時点から当該記憶部に記憶させている当該一部の波形データまでのすべての波形データによって示される前記判定対象部位の画像と、当該すべての波形データに対応する前記エリアデータによって示される前記判定エリアの画像とを前記表示部に重ねて表示させる表示処理を実行する請求項５から７のいずれかに記載の波形判定装置。
【請求項１２】
前記処理部は、前記比較対象部位の少なくとも一部が前記判定エリアに含まれていることによって前記判定対象部位を正常であると判定したときに、前記表示処理の実行を停止する請求項１１記載の波形判定装置。
【請求項１３】
前記処理部は、前記比較対象部位の少なくとも一部が前記判定エリアに含まれていることによって前記判定対象部位を正常であると判定したときに、前記記憶処理の実行を停止する請求項１２記載の波形判定装置。
【請求項１４】
前記処理部は、前記記憶部に記憶させた前記一部の波形データが予め規定されたデータ量に達する都度、前記波形判定処理を実行する請求項１から１３のいずれかに記載の波形判定装置。
【請求項１５】
判定対象信号の判定対象部位についての波形データを入力しつつ、当該判定対象部位についての判定エリアを示すエリアデータが記憶されている前記記憶部に記憶させる記憶処理と、
前記記憶処理の開始から完了までの間において、前記判定対象部位の一部の前記波形データを前記記憶部に記憶させる都度、当該一部の波形データによって示される比較対象部位が、当該記憶部に記憶されている前記エリアデータのうちの当該一部の波形データに対応するエリアデータによって示される前記判定エリアに含まれているか否かを判別する波形判定処理とを実行する波形判定方法。
【発明の詳細な説明】
【技術分野】
【０００１】
本発明は、判定対象信号における判定対象部位が判定エリアに含まれているか否かを判定する波形判定装置および波形判定方法に関するものである。
【背景技術】
【０００２】
この種の波形判定装置として、本願出願人は、下記特許文献１に開示された波形判定装置を既に提案している。この波形判定装置は、測定部、表示部、操作部、制御部、ＲＡＭおよびＲＯＭを備えて構成されている。
【０００３】
この波形判定装置では、制御部は、測定部から入力した波形データのレベルを監視して、予め設定されたトリガ条件を満たした時点で、波形データをＲＡＭに記憶させる記憶制御を開始し、各判定エリアの区間の合計時間と同じ時間が経過した時点で、ＲＡＭへの波形データの記憶を終了する。これにより、入力信号についての波形データがＲＡＭに記憶される。
【０００４】
続いて、制御部は、表示部の表示画面を縦軸方向で分割して、判定エリアの数と同数の分割表示画面を表示させる。次いで、制御部は、ＲＡＭに記憶されている波形データを時間軸に沿って分割表示画面の数と同数の区間毎にグループ化（分割）する。続いて、制御部は、分割した波形データに対応する各信号波形を縦軸方向に対して圧縮した状態で、各分割表示画面に表示させる。また、制御部は、各分割表示画面に表示させている信号波形に対応する各判定エリアを縦軸方向に対して圧縮した状態で各分割表示画面にそれぞれ表示させる。
【０００５】
次いで、制御部は、各分割表示画面のうちの一つが選択されたときに、分割表示画面の表示に代えて、選択された分割表示画面に含まれている信号波形およびそれに対応する判定エリアの一つを拡大した状態で重ねて表示画面に表示させると共に、信号波形が判定エリアの範囲内から外れているか否かを判定し、信号波形全体が判定エリアの範囲内から外れていないときに、波形良好と判定し、信号波形の少なくとも一部が判定エリアの範囲を外れているときに、波形不良と判定する。
【先行技術文献】
【特許文献】
【０００６】
【特許文献１】特開２００５−１８９０６６公報（第５−６頁、第１，４図）
【発明の概要】
【発明が解決しようとする課題】
【０００７】
ところが、この従来の波形判定装置には、以下の改善すべき課題が存在している。すなわち、この波形判定装置では、波形判定を行う信号波形の波形データをすべて記憶した後に波形判定処理を実行しているため、すべての波形データの記憶が完了するまで、信号波形に判定エリアの範囲内から外れる部位が存在しているか否かを判定することができない。したがって、この波形判定装置には、判定エリアから外れる部位が信号波形に発生してからその判定の結果を得るまでに時間を要するという改善すべき課題が存在している。
【０００８】
本発明は、かかる課題を改善すべくなされたものであり、信号波形における判定エリアから外れる部位の発生の有無を短時間に判定し得る波形判定装置および波形判定方法を提供することを主目的とする。
【課題を解決するための手段】
【０００９】
上記目的を達成すべく請求項１記載の波形判定装置は、判定対象信号の判定対象部位についての判定エリアを示すエリアデータを記憶する記憶部と、前記判定対象部位の波形データを入力しつつ前記記憶部に記憶させる記憶処理を実行する処理部とを備え、前記処理部は、前記記憶処理の開始から完了までの間において、前記判定対象部位の一部の前記波形データを前記記憶部に記憶させる都度、当該一部の波形データによって示される比較対象部位が前記記憶部に記憶されている前記エリアデータのうちの当該一部の波形データに対応するエリアデータによって示される前記判定エリアに含まれているか否かの波形判定処理を実行する。
【００１０】
また、請求項２記載の波形判定装置は、請求項１記載の波形判定装置において、表示部を備え、前記処理部は、前記比較対象部位の少なくとも一部が前記判定エリアから外れているときに前記判定対象部位が異常であると判定して、その旨を前記表示部に表示させる。
【００１１】
また、請求項３記載の波形判定装置は、請求項２記載の波形判定装置において、前記処理部は、前記判定対象部位に含まれるすべての前記比較対象部位が全体に亘って前記判定エリアに含まれているときに当該判定対象部位が正常であると判定して、その旨を前記表示部に表示させる。
【００１２】
また、請求項４記載の波形判定装置は、請求項１または２記載の波形判定装置において、前記処理部は、少なくとも一部が前記判定エリアから外れている前記比較対象部位の後の前記比較対象部位に対して前記波形判定処理の実行を停止する。
【００１３】
また、請求項５記載の波形判定装置は、請求項１記載の波形判定装置において、表示部を備え、前記処理部は、前記比較対象部位の少なくとも一部が前記判定エリアに含まれているときに前記判定対象部位が正常であると判定して、その旨を前記表示部に表示させる。
【００１４】
また、請求項６記載の波形判定装置は、請求項５記載の波形判定装置において、前記処理部は、前記判定対象部位に含まれるすべての前記比較対象部位が全体に亘って前記判定エリアから外れているときに当該判定対象部位が異常であると判定して、その旨を前記表示部に表示させる。
【００１５】
また、請求項７記載の波形判定装置は、請求項１または５記載の波形判定装置において、前記処理部は、少なくとも一部が前記判定エリアに含まれている前記比較対象部位の後の前記比較対象部位に対して前記波形判定処理の実行を停止する。
【００１６】
また、請求項８記載の波形判定装置は、請求項２から４のいずれかに記載の波形判定装置において、前記処理部は、前記記憶部に前記一部の波形データを記憶させる都度、前記記憶処理を開始した時点から当該記憶部に記憶させている当該一部の波形データまでのすべての波形データによって示される前記判定対象部位の画像と、当該すべての波形データに対応する前記エリアデータによって示される前記判定エリアの画像とを前記表示部に重ねて表示させる表示処理を実行する。
【００１７】
また、請求項９記載の波形判定装置は、請求項８記載の波形判定装置において、前記処理部は、前記比較対象部位の少なくとも一部が前記判定エリアから外れていることによって前記判定対象部位を異常であると判定したときに、前記表示処理の実行を停止する。
【００１８】
また、請求項１０記載の波形判定装置は、請求項９記載の波形判定装置において、前記処理部は、前記比較対象部位の少なくとも一部が前記判定エリアから外れていることによって前記判定対象部位を異常であると判定したときに、前記記憶処理の実行を停止する。
【００１９】
また、請求項１１記載の波形判定装置は、請求項５から７のいずれかに記載の波形判定装置において、前記処理部は、前記記憶部に前記一部の波形データを記憶させる都度、前記記憶処理を開始した時点から当該記憶部に記憶させている当該一部の波形データまでのすべての波形データによって示される前記判定対象部位の画像と、当該すべての波形データに対応する前記エリアデータによって示される前記判定エリアの画像とを前記表示部に重ねて表示させる表示処理を実行する。
【００２０】
また、請求項１２記載の波形判定装置は、請求項１１記載の波形判定装置において、前記処理部は、前記比較対象部位の少なくとも一部が前記判定エリアに含まれていることによって前記判定対象部位を正常であると判定したときに、前記表示処理の実行を停止する。
【００２１】
また、請求項１３記載の波形判定装置は、請求項１２記載の波形判定装置において、前記処理部は、前記比較対象部位の少なくとも一部が前記判定エリアに含まれていることによって前記判定対象部位を正常であると判定したときに、前記記憶処理の実行を停止する。
【００２２】
また、請求項１４記載の波形判定装置は、請求項１から１３のいずれかに記載の波形判定装置において、前記処理部は、前記記憶部に記憶させた前記一部の波形データが予め規定されたデータ量に達する都度、前記波形判定処理を実行する。
【００２３】
また、請求項１５記載の波形判定方法は、判定対象信号の判定対象部位についての波形データを入力しつつ、当該判定対象部位についての判定エリアを示すエリアデータが記憶されている前記記憶部に記憶させる記憶処理と、前記記憶処理の開始から完了までの間において、前記判定対象部位の一部の前記波形データを前記記憶部に記憶させる都度、当該一部の波形データによって示される比較対象部位が、当該記憶部に記憶されている前記エリアデータのうちの当該一部の波形データに対応するエリアデータによって示される前記判定エリアに含まれているか否かを判別する波形判定処理とを実行する。
【発明の効果】
【００２４】
請求項１記載の波形判定装置および請求項１５記載の波形判定方法によれば、波形判定を行う判定対象信号の判定対象部位についての波形データをすべて記憶した後に波形判定処理を実行する構成とは異なり、記憶処理の開始から完了までの間において、判定対象部位の一部についての波形データを記憶部に記憶させる都度、波形判定処理を実行するため、比較対象部位の少なくとも一部が判定エリアから外れているときに判定対象部位が異常であると判定する波形判定処理においては、判定対象信号の判定対象部位に判定エリアから外れる部位が発生していたときに、この外れる部位の発生から、より短時間に、この外れる部位を検出（判定）することができる。また、比較対象部位の少なくとも一部が判定エリアに含まれているときに判定対象部位が正常であると判定する波形判定処理においては、判定対象信号の判定対象部位に判定エリアに含まれる部位が発生していたときに、この含まれる部位の発生から、より短時間に、この含まれる部位を検出（判定）することができる。
【００２５】
また、請求項２記載の波形判定装置によれば、比較対象部位の少なくとも一部が判定エリアから外れているときに判定対象部位が異常であると判定する波形判定処理において、処理部が、比較対象部位が判定エリアから外れていると判定したときに、判定対象部位が異常である旨を表示部に表示させることにより、判定対象信号の判定対象部位に判定エリアから外れる部位が発生して異常となったことを目視にて確認することができる。
【００２６】
また、請求項３記載の波形判定装置によれば、比較対象部位の少なくとも一部が判定エリアから外れているときに判定対象部位が異常であると判定する波形判定処理において、処理部が、判定対象部位に含まれるすべての比較対象部位が全体に亘って判定エリアに含まれていると判定したときに、判定対象部位が正常である旨を表示部に表示させることにより、判定対象信号の判定対象部位全体が判定エリアに含まれて正常となったことを目視にて確認することができる。
【００２７】
また、請求項４記載の波形判定装置によれば、比較対象部位の少なくとも一部が判定エリアから外れているときに判定対象部位が異常であると判定する波形判定処理において、処理部は、判定エリアに含まれていないと判定した比較対象部位の後の比較対象部位に対して波形判定処理の実行を停止するため、処理の負荷を軽減することができる。
【００２８】
また、請求項５記載の波形判定装置によれば、比較対象部位の少なくとも一部が判定エリアに含まれているときに判定対象部位が正常であると判定する波形判定処理において、処理部が、比較対象部位が判定エリアに含まれていると判定したときに、判定対象部位全体が正常である旨を表示部に表示させることにより、判定対象信号の判定対象部位に判定エリアに含まれる部位が発生して、判定対象信号の判定対象部位全体が正常となっていることを目視にて確認することができる。
【００２９】
また、請求項６記載の波形判定装置によれば、比較対象部位の少なくとも一部が判定エリアに含まれているときに判定対象部位が正常であると判定する波形判定処理において、処理部が、判定対象部位に含まれるすべての比較対象部位が全体に亘って判定エリアから外れていると判定したときに、判定対象部位が異常である旨を表示部に表示させることにより、判定対象信号の判定対象部位全体が判定エリアから外れて異常となったことを目視にて確認することができる。
【００３０】
また、請求項７記載の波形判定装置によれば、比較対象部位の少なくとも一部が判定エリアに含まれているときに判定対象部位が正常であると判定する波形判定処理において、処理部は、判定エリアに含まれていると判定した比較対象部位の後の比較対象部位に対して波形判定処理の実行を停止するため、処理の負荷を軽減することができる。
【００３１】
また、請求項８記載の波形判定装置によれば、比較対象部位の少なくとも一部が判定エリアから外れているときに判定対象部位が異常であると判定する波形判定処理において、波形判定を行う判定対象信号の判定対象部位についての波形データをすべて記憶した後に判定対象部位の全体画像および判定エリアの全体画像を表示部に表示させる構成とは異なり、表示部の表示内容に基づいて、判定対象部位が判定エリアから外れているか否かの状況を、リアルタイムに近い状態で（より早期に）確認することができる。
【００３２】
また、請求項９記載の波形判定装置によれば、処理部は、比較対象部位の少なくとも一部が判定エリアから外れているときに判定対象部位が異常であると判定する波形判定処理において比較対象部位が判定エリアに含まれていないと判定したときに、表示処理の実行を停止するため、処理部による波形判定処理の実行と表示処理の実行とを共に停止させる構成とすることができ、これにより、判定対象信号の判定対象部位についてのすべての比較対象部位に対する波形判定処理と表示処理とを常に実行する構成と比較して、判定対象信号の判定対象部位に対する波形判定処理に要する時間を短縮することができる。
【００３３】
また、請求項１０記載の波形判定装置によれば、処理部は、比較対象部位の少なくとも一部が判定エリアから外れているときに判定対象部位が異常であると判定する波形判定処理において比較対象部位が判定エリアに含まれていないと判定したときに、波形判定処理および表示処理と共に記憶処理についても停止させるため、現在の判定対象部位に対する処理をすべて早期に終了させて（現在の判定対象部位に対する処理に要する時間を短縮して）、判定対象信号における新たな判定対象部位を判定する動作に早期に移行することができる。
【００３４】
また、請求項１１記載の波形判定装置によれば、比較対象部位の少なくとも一部が判定エリアに含まれているときに判定対象部位が正常であると判定する波形判定処理において、波形判定を行う判定対象信号の判定対象部位についての波形データをすべて記憶した後に判定対象部位の全体画像および判定エリアの全体画像を表示部に表示させる構成とは異なり、表示部の表示内容に基づいて、判定対象部位が判定エリアから外れているか否かの状況を、リアルタイムに近い状態で（より早期に）確認することができる。
【００３５】
また、請求項１２記載の波形判定装置によれば、処理部は、比較対象部位の少なくとも一部が判定エリアに含まれているときに判定対象部位が正常であると判定する波形判定処理において比較対象部位が判定エリアに含まれていると判定したときに、表示処理の実行を停止するため、処理部による波形判定処理の実行と表示処理の実行とを共に停止させる構成とすることができ、これにより、判定対象信号の判定対象部位についてのすべての比較対象部位に対する波形判定処理と表示処理とを常に実行する構成と比較して、判定対象信号の判定対象部位に対する波形判定処理に要する時間を短縮することができる。
【００３６】
また、請求項１３記載の波形判定装置によれば、処理部は、比較対象部位の少なくとも一部が判定エリアに含まれているときに判定対象部位が正常であると判定する波形判定処理において比較対象部位が判定エリアに含まれていると判定したときに、波形判定処理および表示処理と共に記憶処理についても停止させるため、現在の判定対象部位に対する処理をすべて早期に終了させて（現在の判定対象部位に対する処理に要する時間を短縮して）、判定対象信号における新たな判定対象部位を判定する動作に早期に移行することができる。
【００３７】
また、請求項１４記載の波形判定装置によれば、記憶部に記憶させた一部の波形データが予め規定されたデータ量に達する都度、処理部が波形判定処理を実行することにより、ほぼ一定時間間隔で、判定対象信号の判定対象部位が判定エリアに含まれているか否かを判定することができる。
【図面の簡単な説明】
【００３８】
【図１】波形判定装置１の構成を示すブロック図である。
【図２】判定対象信号における判定対象部位Ｗと判定エリアＡとの関係を説明するための表示画面図である。
【図３】判定対象部位Ｗ１（比較対象部位Ｗ１）とこれに対応する判定エリアＡ１との関係を説明するための表示画面図である。
【図４】判定対象部位Ｗ１，Ｗ２（比較対象部位Ｗ１，Ｗ２）とこれに対応する判定エリアＡ１，Ａ２との関係を説明するための表示画面図である。
【図５】判定対象部位Ｗ１〜Ｗ３（比較対象部位Ｗ１〜Ｗ３）とこれに対応する判定エリアＡ１〜Ａ３との関係を説明するための表示画面図である。
【図６】判定対象部位Ｗ１〜Ｗ４（比較対象部位Ｗ１〜Ｗ４）とこれに対応する判定エリアＡ１〜Ａ４との関係を説明するための表示画面図である。
【図７】判定対象部位Ｗ１（比較対象部位Ｗ１）とこれに対応する判定エリアＡ１との他の関係を説明するための表示画面図である。
【図８】判定対象部位Ｗ１，Ｗ２（比較対象部位Ｗ１，Ｗ２）とこれに対応する判定エリアＡ１，Ａ２との他の関係を説明するための表示画面図である。
【図９】判定対象部位Ｗ１〜Ｗ３（比較対象部位Ｗ１〜Ｗ３）とこれに対応する判定エリアＡ１〜Ａ３との他の関係を説明するための表示画面図である。
【図１０】各判定対象部位Ｗ１〜Ｗ４（各比較対象部位Ｗ１〜Ｗ４）とこれに対応する各判定エリアＡ１〜Ａ４との他の関係を説明するための表示画面図である。
【図１１】判定対象部位Ｗ１，Ｗ２（比較対象部位Ｗ１，Ｗ２）とこれに対応する判定エリアＡ１，Ａ２との関係を説明するための他の表示画面図である。
【図１２】判定対象部位Ｗ１，Ｗ２，Ｗ３（比較対象部位Ｗ１，Ｗ２，Ｗ３）とこれに対応する他の判定エリアＡ１，Ａ２，Ａ３との関係を説明するための他の表示画面図である。
【図１３】判定対象部位Ｗ１，Ｗ２（比較対象部位Ｗ１，Ｗ２）とこれに対応する他の判定エリアＡ１，Ａ２との関係を説明するための他の表示画面図である。
【発明を実施するための形態】
【００３９】
以下、添付図面を参照して、波形判定装置および波形判定方法の実施の形態について説明する。
【００４０】
最初に、図１を参照して、波形判定装置１の構成について説明する。
【００４１】
同図に示すように、波形判定装置１は、測定部２、処理部３、記憶部４および表示部５を備え、入力した判定対象信号Ｓ１における判定すべき部位（判定対象部位Ｗ）が後述する判定エリアＡに含まれているか否かを判定可能に構成されている。
【００４２】
測定部２は、一例として、増幅器およびＡ／Ｄ変換器（いずれも図示せず）を備えて構成されている。また、測定部２は、アナログ信号としての判定対象信号Ｓ１を一定のサンプリング周期で波形データＤｗに変換して処理部３に出力する。
【００４３】
処理部３は、一例として、ＣＰＵ（図示せず）を備えて構成されて、波形データＤｗの記憶部４への記憶処理、波形データＤｗに対する波形判定処理、および波形データＤｗとエリアデータＤａとに基づいて判定対象部位Ｗおよび判定エリアＡを表示部５に表示させる表示処理を実行する。
【００４４】
この場合、記憶処理では、処理部３は、波形データＤｗを入力しつつ、入力した波形データＤｗのレベル（電圧値）を監視して、予め設定されたトリガ条件（一例として、波形データＤｗのレベルが所定の設定値（例えばゼロボルト）を上向きで横切るという条件）を満たした時点で、入力した波形データＤｗの記憶部４への記憶を開始する。また、処理部３は、記憶部４に記憶させた波形データＤｗのデータ量が予め規定されたデータ量に達した時点で波形データＤｗの記憶部４への記憶を完了させる。
【００４５】
また、波形判定処理では、処理部３は、判定対象信号Ｓ１の判定対象部位Ｗを判定エリアＡと比較して、判定エリアＡに含まれているか否かを判別することにより、この判定対象部位Ｗに異常が発生しているか否か（判定対象部位Ｗが異常であるか正常であるか）を検出（判定）する。
【００４６】
記憶部４は、一例として、ＲＡＭ、ＲＯＭおよびＨＤＤ（ハードディスク装置）のうちの少なくとも１つで構成されて、上記した判定対象部位Ｗについての判定エリアＡを示すエリアデータＤａが予め記憶されている。本例では一例として、判定エリアＡは、図２に示すように、基準となる判定対象信号Ｓ１の判定対象部位Ｗの形状と類似する形状であって、この判定対象部位Ｗを含む幅に規定された形状の帯状エリアに設定されている。具体的には、判定エリアＡの幅は、一例として、時間軸と直交する方向に沿った判定エリアＡの上限値と下限値との差分で規定されるものであり、判定エリアＡは、このようにして規定された幅の中間位置に判定対象部位Ｗの正常な波形データＤｗが常に位置するように、判定対象部位Ｗを含む帯状エリアに設定されている。また、記憶部４には、処理部３によって波形データＤｗが記憶される。
【００４７】
表示部５は、本例では一例として、ＬＣＤ（Liquid Crystal Display）などのディスプレイ装置で構成されている。また、表示部５は、処理部３によって制御されて、その表示画面１１に、波形データＤｗに基づく判定対象信号Ｓ１の判定対象部位Ｗ、およびエリアデータＤａに基づく判定エリアＡを重ね合わせて表示する。
【００４８】
次に、波形判定装置１の動作と併せて波形判定方法について説明する。
【００４９】
波形判定装置１では、判定対象信号Ｓ１を入力している状態において、測定部２が、この判定対象信号Ｓ１を波形データＤｗに変換して処理部３に出力する。
【００５０】
この状態において、処理部３は、測定部２から波形データＤｗを入力しつつ、入力した波形データＤｗがトリガ条件を満たすか否かを検出する処理を実行する。また。処理部３は、この処理において、波形データＤｗがトリガ条件を満たしたことを検出したときには、記憶処理を実行する。
【００５１】
この記憶処理では、処理部３は、波形データＤｗがトリガ条件を満たした時点から、波形データＤｗの記憶部４への記憶を開始する。この記憶処理については、処理部３は、記憶部４に記憶させた波形データＤｗのデータ量が予め規定されたデータ量（少なくとも判定対象部位Ｗ全体のデータ量Ｂ１を含むデータ量）に達した時点で完了させる。
【００５２】
また、処理部３は、この記憶処理の開始から完了までの間において、記憶処理の実行と並行して、波形判定処理および表示処理を実行する。具体的には、処理部３は、記憶部４に記憶されている波形データＤｗのデータ量が記憶処理の実行によって予め規定されたデータ量Ｂ２（データ量Ｂ１未満のデータ量）だけ増加する都度、つまり、判定対象部位Ｗ全体のうちの一部（データ量Ｂ２分）の波形データＤｗを記憶部４に記憶する都度、波形判定処理および表示処理を実行する。
【００５３】
この波形判定処理では、処理部３は、記憶部４に記憶させた波形データＤｗ（データ量Ｂ２分の波形データＤｗ）に対応するエリアデータＤａを記憶部４から読み出して、このデータ量Ｂ２分の波形データＤｗと比較する比較処理を実行する。この比較処理により、処理部３は、判定対象部位Ｗの記憶部４に記憶させた一部の波形データＤｗ（記憶させたデータ量Ｂ２分の波形データＤｗ）で示される比較対象部位（判定対象部位Ｗの一部）が、記憶部４から読み出したエリアデータＤａによって示される判定エリア（全判定エリアＡの一部）に含まれているか否かを判別する。
【００５４】
また、表示処理では、処理部３は、記憶処理を開始した時点から記憶部４に記憶させたすべての波形データＤｗによって示される判定対象部位Ｗの画像と、波形判定処理において記憶部４から読み出したすべてのエリアデータＤａによって示される判定エリアＡの画像と、波形判定処理での判定結果とを重ね合わせて表示部５の表示画面１１に表示させる。処理部３は、この波形判定処理および表示処理を、記憶処理を完了させるまで繰り返し実行する（本例では一例として、処理部３は、後述するように波形判定処理および表示処理をそれぞれ４回繰り返し実行する）。
【００５５】
このため、この波形判定装置１では、記憶処理の開始後において、記憶部４に記憶させた波形データＤｗの一部についてのデータ量がデータ量Ｂ２に達したときに、処理部３が表示処理を実行することにより、記憶処理を開始した時点から記憶部４に記憶させた波形データＤｗまでのすべての波形データＤｗ（この場合には、最初のデータ量Ｂ２分の波形データＤｗ（以下、「波形データＤｗ１」ともいう）を記憶部４から読み出す。
【００５６】
また、処理部３は、記憶部４に記憶させた波形データＤｗ１までのすべての波形データＤｗに対応するエリアデータＤａ（この場合には、波形データＤｗ１に対応するエリアデータＤａ（以下、「エリアデータＤａ１」ともいう））を記憶部４から読み出す。また、処理部３は、このようにして読み出した波形データＤｗ１によって示される判定対象部位Ｗの画像（この場合には、波形データＤｗ１に対応する判定対象部位Ｗ１の画像）と、エリアデータＤａ１によって示される判定エリアＡの画像（この場合には、エリアデータＤａ１に対応する判定エリアＡ１の画像）とを、図３に示すように、表示部５の表示画面１１上の領域Ｃ１（表示画面１１の左端を時間軸の起点として、表示画面１１を時間軸方向に沿って分割したときに、最も起点側の領域）に表示させる。
【００５７】
また、図３に示す例では、波形データＤｗ１に対応する判定対象部位Ｗ１（比較対象部位）の一部が、この波形データＤｗ１に対応するエリアデータＤａ１に対応する判定エリアＡ１に含まれていない状態となっている。このため、処理部３は、波形判定処理を実行することにより、比較対象部位としての判定対象部位Ｗ１が判定エリアＡ１に含まれていない、すなわちこの判定対象部位Ｗ１の少なくとも一部が判定エリアＡ１から外れていると判定すると共に、判定対象部位Ｗ１を含む判定対象部位Ｗ全体が異常であると判定する。また、処理部３は、判定対象部位Ｗ１を含む判定対象部位Ｗ全体が異常であると判定したことにより、上記した表示処理において、図３に示すように、その旨（この判定結果）についても、判定対象部位Ｗ１の画像および判定エリアＡ１の画像と共に、表示部５の表示画面１１上の予め規定された位置（本例では一例として、表示画面１１の右下隅の位置）にその旨を表示させる。本例では、処理部３は、その旨として、一例として「判定結果：ＮＧ」の文字を表示画面１１上に表示させる。
【００５８】
次いで、処理部３は、記憶部４に次に記憶させた波形データＤｗの新たな一部についてのデータ量がデータ量Ｂ２に達したときに、表示処理を実行することにより、この新たな一部に対応するデータ量Ｂ２分の波形データＤｗ（波形データＤｗ１の次の（２回目の）データ量Ｂ２分の波形データＤｗであるため、以下、「波形データＤｗ２」ともいう）を記憶部４から読み出す。
【００５９】
また、処理部３は、この波形データＤｗ２に対応するエリアデータＤａ（エリアデータＤａ１に続く、波形データＤｗ２に対応するエリアデータＤａ（以下、「エリアデータＤａ２」ともいう））を記憶部４から読み出す。また、処理部３は、このようにして読み出した波形データＤｗ２によって示される判定対象部位Ｗの画像（この場合には、波形データＤｗ２で示される判定対象部位Ｗ２の画像）と、エリアデータＤａ２によって示される判定エリアＡの画像（この場合には、エリアデータＤａ２に対応する判定エリアＡ２の画像）とを、図４に示すように、領域Ｃ１に表示させている判定対象部位Ｗ１の画像および判定エリアＡ１の画像と共に、表示部５の表示画面１１上の領域Ｃ２（領域Ｃ１の次の領域）に表示させる。
【００６０】
また、図４に示す例では、波形データＤｗ２に対応する判定対象部位Ｗ２（比較対象部位）は、この波形データＤｗ２に対応するエリアデータＤａ２に対応する判定エリアＡ２にすべて含まれている状態（全体に亘って含まれている状態）となっている。このため、処理部３は、波形判定処理を実行することにより、比較対象部位としての判定対象部位Ｗ２が判定エリアＡ２に含まれていると判定する。なお、判定対象信号Ｓ１における判定すべき部位（判定対象部位Ｗ）は、既にその判定対象部位Ｗ１において判定エリアＡ１に含まれていない状態となっているため、判定対象部位Ｗは異常であると判定されている。このため、処理部３は、図４に示すように、「判定結果：ＮＧ」の文字を表示画面１１上に継続して表示させる。
【００６１】
続いて、処理部３は、記憶部４に次に記憶させた波形データＤｗの新たな一部についてのデータ量がデータ量Ｂ２に達したときに、表示処理を実行することにより、この新たな一部に対応するデータ量Ｂ２分の波形データＤｗ（波形データＤｗ２の次の（３回目の）データ量Ｂ２分の波形データＤｗであるため、以下、「波形データＤｗ３」ともいう）を記憶部４から読み出す。
【００６２】
また、処理部３は、この波形データＤｗ３に対応するエリアデータＤａ（エリアデータＤａ２に続く、波形データＤｗ３に対応するエリアデータＤａ（以下、「エリアデータＤａ３」ともいう））を記憶部４から読み出す。また、処理部３は、このようにして読み出した波形データＤｗ３によって示される判定対象部位Ｗの画像（この場合には、波形データＤｗ３で示される判定対象部位Ｗ３の画像）と、エリアデータＤａ３によって示される判定エリアＡの画像（この場合には、エリアデータＤａ３に対応する判定エリアＡ３の画像）とを、図５に示すように、領域Ｃ１，Ｃ２に表示させている判定対象部位Ｗ１，Ｗ２の画像および判定エリアＡ１，Ａ２の画像と共に、表示部５の表示画面１１上の領域Ｃ３（領域Ｃ２の次の領域）に表示させる。
【００６３】
また、図５に示す例では、波形データＤｗ３に対応する判定対象部位Ｗ３（比較対象部位）は、この波形データＤｗ３に対応するエリアデータＤａ３に対応する判定エリアＡ３にすべて含まれている状態（全体に亘って含まれている状態）となっている。このため、処理部３は、波形判定処理を実行することにより、比較対象部位としての判定対象部位Ｗ３が判定エリアＡ３に含まれていると判定する。なお、上記したように、判定対象部位Ｗ１は既に異常であると判定されているため、処理部３は、図５に示すように、「判定結果：ＮＧ」の文字を表示画面１１上に継続して表示させる。
【００６４】
次いで、処理部３は、記憶部４に次に記憶させた波形データＤｗの新たな一部についてのデータ量がデータ量Ｂ２に達したときに、表示処理を実行することにより、この新たな一部に対応するデータ量Ｂ２分の波形データＤｗ（波形データＤｗ３の次の（４回目の）データ量Ｂ２分の波形データＤｗであるため、以下、「波形データＤｗ４」ともいう）を記憶部４から読み出す。
【００６５】
また、処理部３は、この波形データＤｗ４に対応するエリアデータＤａ（エリアデータＤａ３に続く、波形データＤｗ４に対応するエリアデータＤａ（以下、「エリアデータＤａ４」ともいう））を記憶部４から読み出す。また、処理部３は、このようにして読み出した波形データＤｗ４によって示される判定対象部位Ｗの画像（この場合には、波形データＤｗ４で示される判定対象部位Ｗ４の画像）と、エリアデータＤａ４によって示される判定エリアＡの画像（この場合には、エリアデータＤａ４に対応する判定エリアＡ４の画像）とを、図６に示すように、領域Ｃ１，Ｃ２，Ｃ３に表示させている判定対象部位Ｗ１，Ｗ２，Ｗ３の画像および判定エリアＡ１，Ａ２，Ａ３の画像と共に、表示部５の表示画面１１上の領域Ｃ４（領域Ｃ３の次の領域）に表示させる。
【００６６】
また、図６に示す例では、波形データＤｗ４に対応する判定対象部位Ｗ４（比較対象部位）の一部が、この波形データＤｗ４に対応するエリアデータＤａ４に対応する判定エリアＡ４に含まれていない状態となっている。このため、処理部３は、波形判定処理を実行することにより、比較対象部位としての判定対象部位Ｗ４が判定エリアＡ４に含まれていない（判定対象部位Ｗ４が判定エリアＡ４から外れている）と判定する。なお、上記したように、判定対象部位Ｗ１は既に異常であると判定されているため、処理部３は、図６に示すように、「判定結果：ＮＧ」の文字を表示画面１１上に継続して表示させる。これにより、この判定対象部位Ｗ１，Ｗ２，Ｗ３，Ｗ４で構成される判定対象部位Ｗ全体についての波形判定処理と表示処理とが完了する。
【００６７】
一方、判定対象部位Ｗは、上記した例のように、最初の判定対象部位Ｗ１から判定エリアＡ１に含まれていない状態となる場合もあるが、途中の判定対象部位（例えば、判定対象部位Ｗ３）で初めて、対応する判定エリア（例えば、判定エリアＡ３）に含まれていない状態となる場合もある。以下、この場合について、図６を用いて説明する。なお、図６の表示内容とは異なるが、判定対象部位Ｗは、一例としてその判定対象部位Ｗ３のみが判定エリアＡ３に含まれていない状態となっており、他の判定対象部位Ｗ１，Ｗ２，Ｗ４は対応する判定エリアＡ１，Ａ２，Ａ４に含まれているものとする。
【００６８】
この場合には、処理部３は、判定対象部位Ｗ１の画像と判定エリアＡ１の画像とを表示画面１１上の領域Ｃ１に表示させると共に、波形判定処理を実行して、比較対象部位としての判定対象部位Ｗ１が判定エリアＡ１に含まれていると判定する。次いで、処理部３は、判定対象部位Ｗ２の画像と判定エリアＡ２の画像とを表示画面１１上の領域Ｃ２に表示させると共に、波形判定処理を実行して、比較対象部位としての判定対象部位Ｗ２が判定エリアＡ２に含まれていると判定する。この場合には、処理部３は、その後の判定対象部位Ｗ３，Ｗ４に対する波形判定処理を実行するまでは、判定対象部位Ｗ全体が判定エリアＡに含まれるか否かを判定できない。このため、処理部３は、表示画面１１上への「判定結果：ＯＫ」の文字の表示は行わない。
【００６９】
次いで、処理部３は、判定対象部位Ｗ３の画像と判定エリアＡ３の画像とを表示画面１１上の領域Ｃ３に表示させると共に、波形判定処理を実行して、比較対象部位としての判定対象部位Ｗ３が判定エリアＡ３に含まれていない（判定対象部位Ｗ３が判定エリアＡ３から外れている）と判定する。判定対象部位Ｗ３が判定エリアＡ３に含まれていない状態となったことで、判定対象部位Ｗ全体としても判定エリアＡに含まれない状態となったことを判定することができる。このため、処理部３は、判定対象部位Ｗ３の波形判定処理を行った時点で、その旨（判定対象部位Ｗ３が判定エリアＡ３に含まれていないこと、結果として、判定対象部位Ｗ全体が判定エリアＡに含まれてないこと（判定対象部位Ｗが異常であること））を示す「判定結果：ＮＧ」の文字を表示画面１１上に表示させる。
【００７０】
処理部３は、最後の判定対象部位Ｗ４については、その画像と判定エリアＡ４の画像とを表示画面１１上の領域Ｃ４に表示させると共に、波形判定処理を実行して、比較対象部位としての判定対象部位Ｗ４が判定エリアＡ４に含まれているか否かを判定する。なお、既に判定対象部位Ｗ全体として判定エリアＡに含まれない状態となることが判定されているため、処理部３は、「判定結果：ＮＧ」の文字を表示画面１１上に継続して表示させる。これにより、この判定対象部位Ｗ１，Ｗ２，Ｗ３，Ｗ４で構成される判定対象部位Ｗ全体についての波形判定処理と表示処理とが完了する。
【００７１】
他の例として、判定対象部位Ｗが全体として判定エリアＡに含まれている状態となる場合もある。以下、この場合について、図６を用いて説明する。なお、図６の表示内容とは異なるが、判定対象部位Ｗは、すべての判定対象部位Ｗ１，Ｗ２，Ｗ３，Ｗ４が対応する判定エリアＡ１，Ａ２，Ａ３，Ａ４に含まれているものとする。
【００７２】
この場合には、処理部３は、判定対象部位Ｗ１の画像と判定エリアＡ１の画像とを表示画面１１上の領域Ｃ１に表示させると共に、波形判定処理を実行して、比較対象部位としての判定対象部位Ｗ１が判定エリアＡ１に含まれていると判定する。次いで、処理部３は、判定対象部位Ｗ２の画像と判定エリアＡ２の画像とを表示画面１１上の領域Ｃ２に表示させると共に、波形判定処理を実行して、比較対象部位としての判定対象部位Ｗ２が判定エリアＡ２に含まれていると判定する。続いて、処理部３は、判定対象部位Ｗ３の画像と判定エリアＡ３の画像とを表示画面１１上の領域Ｃ３に表示させると共に、波形判定処理を実行して、比較対象部位としての判定対象部位Ｗ３が判定エリアＡ３に含まれていると判定する。なお、処理部３は、最後の判定対象部位Ｗ４に対する波形判定処理が終わるまでは、判定対象部位Ｗ全体が判定エリアＡに含まれるか否かを判定できない。このため、処理部３は、判定対象部位Ｗ１，Ｗ２，Ｗ３についての各波形判定処理を行った時点では、表示画面１１上への「判定結果：ＯＫ」の文字の表示は行わない。
【００７３】
処理部３は、最後に、判定対象部位Ｗ４の画像と判定エリアＡ４の画像とを表示画面１１上の領域Ｃ４に表示させると共に、波形判定処理を実行して、比較対象部位としての判定対象部位Ｗ４が判定エリアＡ４に含まれていると判定する。これにより、処理部３は、すべての判定対象部位Ｗ１，Ｗ２，Ｗ３，Ｗ４が対応する判定エリアＡ１，Ａ２，Ａ３，Ａ４に含まれている状態となっていること、つまり、判定対象部位Ｗ全体としても判定エリアＡに含まれる状態となっている（判定対象部位Ｗが正常である）と判定する。したがって、処理部３は、判定対象部位Ｗ４の波形判定処理を行った時点で、その旨を示す「判定結果：ＯＫ」の文字を表示画面１１上に表示させる。これにより、この判定対象部位Ｗ１，Ｗ２，Ｗ３，Ｗ４で構成される判定対象部位Ｗ全体についての波形判定処理と表示処理とが完了する。
【００７４】
このように、この波形判定装置１および波形判定方法では、処理部３が、記憶処理を実行しつつ、この記憶処理の開始から完了までの間において、記憶部４に波形データＤｗの一部の波形データＤｗを記憶させる都度（波形データＤｗをデータ量Ｂ２だけ記憶させる都度）、この一部の波形データＤｗによって示される比較対象部位（例えば、波形データＤｗ１については判定対象部位Ｗ１、また波形データＤｗ２については判定対象部位Ｗ２）が、この一部の波形データＤｗに対応するエリアデータＤａによって示される判定エリアＡ（例えば、判定対象部位Ｗ１については判定エリアＡ１、また判定対象部位Ｗ２については判定エリアＡ２）に含まれているか否かの波形判定処理を実行する。
【００７５】
したがって、この波形判定装置１および波形判定方法によれば、波形判定を行う判定対象信号Ｓ１の判定対象部位Ｗについての波形データＤｗをすべて記憶した後に波形判定処理を実行する構成とは異なり、判定対象部位Ｗの一部についての波形データＤｗを記憶部４に記憶させる都度、波形判定処理を実行するため、判定対象信号Ｓ１の判定対象部位Ｗに判定エリアＡから外れる部位が発生していたときに、この外れる部位の発生から、より短時間に、この外れる部位を検出（判定）することができると共に、判定対象部位Ｗが異常であると判定することができる。
【００７６】
また、この波形判定装置１によれば、処理部３が波形判定処理を実行して、比較対象部位が判定エリアＡから外れていると判定したときに、判定対象部位Ｗ全体が異常である旨を表示部５に表示させることにより、判定対象信号Ｓ１の判定対象部位Ｗに判定エリアＡから外れる部位が発生して異常となったことを目視にて確認することができる。
【００７７】
また、この波形判定装置１によれば、処理部３が各比較対象部位に対する波形判定処理を実行して、判定対象部位に含まれるすべての比較対象部位が全体に亘って判定エリアＡに含まれていると判定したときに、判定対象部位Ｗ全体が正常である旨を表示部５に表示させることにより、判定対象信号Ｓ１の判定対象部位Ｗが判定エリアＡに含まれていること、言い換えれば、判定対象信号Ｓ１の判定対象部位Ｗに判定エリアＡから外れる部位が発生していないことを目視にて確認することができる。
【００７８】
また、この波形判定装置１では、処理部３が、記憶部４に上記した一部の波形データＤｗを記憶させる都度、記憶処理を開始した時点から記憶部４に記憶させているこの一部の波形データＤｗまでのすべての波形データＤｗ（例えば、記憶させた波形データＤｗが波形データＤｗ３のときには、最初に記憶させた波形データＤｗ１、２回目に記憶させた波形データＤｗ２およびこの波形データＤｗ３）によって示される判定対象部位Ｗの画像（例えば、記憶部４に波形データＤｗ１，Ｄｗ２，Ｄｗ３を記憶させているときには、判定対象部位Ｗ１，Ｗ２，Ｗ３の各画像）と、記憶部４に記憶させているすべての波形データＤｗに対応するエリアデータＤａ（例えば、記憶部４に波形データＤｗ１，Ｄｗ２，Ｄｗ３を記憶させているときには、エリアデータＤａ１，Ｄａ２，Ｄａ３）に対応する判定エリアＡの画像（判定エリアＡ１，Ａ２，Ａ３の各画像）とを表示部５の表示画面１１に重ねて表示させる表示処理を実行する。
【００７９】
したがって、この波形判定装置１によれば、波形判定を行う判定対象信号Ｓ１の判定対象部位Ｗについての波形データＤｗをすべて記憶した後に判定対象部位Ｗの全体画像および判定エリアＡの全体画像を表示部５に表示させる構成とは異なり、表示画面１１の表示内容に基づいて、判定対象部位Ｗが判定エリアＡから外れているか否かの状況を、リアルタイムに近い状態で（より早期に）確認することができる。
【００８０】
また、この波形判定装置１によれば、記憶部４に記憶させた一部の波形データＤｗが予め規定されたデータ量Ｂ２に達する都度、処理部３が波形判定処理を実行することにより、ほぼ一定時間間隔で、判定対象信号Ｓ１の判定対象部位Ｗが判定エリアＡに含まれているか否かを判定することができる。
【００８１】
なお、上記した構成に限定されない。例えば、上記した例では、処理部３は、判定対象部位Ｗの一部の判定対象部位（比較対象部位としての判定対象部位Ｗ１，Ｗ２，Ｗ３のいずれか）が、対応する判定エリアＡ（判定エリアＡ１，Ａ２，Ａ３のいずれか）に含まれていない状態であると判定したときであっても、判定対象部位Ｗの最後の一部の判定対象部位（比較対象部位としての判定対象部位Ｗ４）に対する波形判定処理と、判定対象部位Ｗ４およびそれに対応する判定エリアＡ４を表示部５に表示させる表示処理とを実行している（すべての判定対象部位Ｗ１，Ｗ２，Ｗ３，Ｗ４に対する波形判定処理および表示処理を実行している）が、この構成に限らない。
【００８２】
つまり、判定対象部位Ｗの一部の判定対象部位（比較対象部位としての判定対象部位Ｗ１，Ｗ２，Ｗ３のいずれか）が、対応する判定エリアＡ（判定エリアＡ１，Ａ２，Ａ３のいずれか）に含まれていない状態である（判定対象部位Ｗの一部の判定対象部位が対応する判定エリアＡから外れている）と判定された時点で、判定対象部位Ｗは全体として判定エリアＡに含まれていないことが確定する。このため、判定対象部位Ｗの一部の判定対象部位（比較対象部位としての判定対象部位Ｗ１，Ｗ２，Ｗ３のいずれか）が対応する判定エリアＡ（判定エリアＡ１，Ａ２，Ａ３のいずれか）に含まれていない状態（判定エリアＡから外れている状態）であると判定された後の判定対象部位Ｗの一部の判定対象部位（比較対象部位）に対する処理部３による波形判定処理の実行を停止させる構成を採用することもできる。この構成を採用することにより、処理部３の負荷を軽減することができる。
【００８３】
また、この構成を採用した場合には、判定対象部位Ｗの一部の判定対象部位が対応する判定エリアＡに含まれていない状態であると判定された後の判定対象部位Ｗの一部の判定対象部位（比較対象部位）の画像とそれに対応する判定エリアＡの画像とを表示部５に表示させる表示処理を処理部３に実行させる構成としてもよいし、この表示処理の実行を停止させる構成としてもよい。この場合、後者の構成を採用することにより、処理部３による波形判定処理の実行の停止と共に、表示処理の実行を停止させる構成とすることができるため、判定対象信号Ｓ１の判定対象部位Ｗに対する波形判定処理に要する時間を短縮することができる。さらに、この後者の構成を採用する場合に、波形判定処理および表示処理と共に、処理部３による記憶処理の実行を停止させる構成を採用することもできる。この構成を採用することにより、処理部３は、現在の判定対象部位Ｗに対する処理をすべて早期に終了させて（現在の判定対象部位Ｗに対する処理に要する時間を短縮して）、判定対象信号Ｓ１における新たな判定対象部位Ｗを検出して判定する動作に早期に移行することができる。
【００８４】
また、上記した構成に限定されない。例えば、図示はしないが、波形判定装置１に操作部を設け、この操作部から処理部３に対して、データ量Ｂ２を設定する構成を採用することもできる。この構成を採用することにより、処理部３が波形判定処理を実行する時間間隔を任意に変更することができる。
【００８５】
また、一部の波形データＤｗが予め規定されたデータ量Ｂ２に達する都度、処理部３がこの一部の波形データＤｗに対応するエリアデータＤａを読み出す構成に代えて、記憶処理の開始後において、記憶部４に記憶させた波形データＤｗの一部についてのデータ量がデータ量Ｂ２に達する状態が最初に発生したときに実行する最初の波形データＤｗ１の記憶部４からの読み出しに際して、処理部３が、記憶部４に記憶されているすべてのエリアデータＤａ１，Ｄａ２，Ｄａ３，Ｄａ４を読み出す構成を採用することもできる。
【００８６】
また、上記の例では、比較対象部位としての各判定対象部位Ｗ１，Ｗ２，Ｗ３，Ｗ４と、それに対応する各判定エリアＡ１，Ａ２，Ａ３，Ａ４とを比較して行う各波形判定処理において、比較対象部位としての判定対象部位の少なくとも一部が判定エリアから外れていると判定されたとき（上記の例では、最初に判定されたとき）に、判定対象部位Ｗ全体としても判定エリアＡから外れている（判定対象部位Ｗが異常である）と波形判定する波形判定処理を実行する構成を採用しているが、これに代えて、比較対象部位としての各判定対象部位Ｗ１，Ｗ２，Ｗ３，Ｗ４と、それに対応する各判定エリアＡ１，Ａ２，Ａ３，Ａ４とを比較して行う各波形判定処理のいずれかにおいて、判定対象部位Ｗの少なくとも一部が判定エリアＡに含まれていると判定されたとき（例えば、最初に判定されたとき）に、判定対象部位Ｗ全体が判定エリアＡに含まれている（判定対象部位Ｗ全体として正常である）と波形判定する波形判定処理を実行する構成、逆の言い方をすれば、各波形判定処理のすべてにおいて、判定対象部位Ｗが全体に亘って判定エリアＡから外れている状態であるときに、判定対象部位Ｗ全体が異常であると波形判定する波形判定処理を実行する構成を採用することもできる。以下、この構成の動作について図７〜図１０を参照して説明する。
【００８７】
この構成では、処理部３は、表示処理を実行することにより、図７に示すように、判定対象部位Ｗの最初の一部である判定対象部位Ｗ１の画像と、それに対応する判定エリアＡ１の画像とを表示画面１１上の領域Ｃ１に表示させると共に、波形判定処理を実行する。この図７に示す例では、比較対象部位としての判定対象部位Ｗ１が全体に亘って、この比較対象部位に対応する判定エリアＡ１に含まれていない状態となっている。このため、処理部３は、波形判定処理を実行することにより、判定対象部位Ｗ１が判定エリアＡ１に含まれていない、すなわち、この判定対象部位Ｗ１が判定エリアＡ１から外れていると判定する。なお、判定対象部位Ｗ全体は、その後の判定対象部位Ｗ２，Ｗ３，Ｗ４のいずれかが対応する判定エリアＡ２，Ａ３，Ａ４に一部でも含まれているときには、正常な波形となる。このため、処理部３は、この時点では、判定対象部位Ｗ全体が判定エリアＡに含まれるか否かを判定できない。したがって、処理部３は、判定対象部位Ｗ１についての波形判定処理での判定結果の表示画面１１上への表示は実行しない。
【００８８】
次いで、処理部３は、表示処理を実行することにより、図８に示すように、判定対象部位Ｗの次の一部である判定対象部位Ｗ２の画像と、それに対応する判定エリアＡ２の画像とを表示画面１１上の領域Ｃ２に表示させると共に、波形判定処理を実行する。この図８に示す例でも、比較対象部位としての判定対象部位Ｗ２が全体に亘って、この比較対象部位に対応する判定エリアＡ２に含まれていない状態となっている。このため、処理部３は、波形判定処理を実行することにより、判定対象部位Ｗ２が判定エリアＡ２に含まれていない（この判定対象部位Ｗ２が判定エリアＡ２から外れている）と判定する。また、処理部３は、この時点でも、判定対象部位Ｗ全体が判定エリアＡに含まれるか否かを判定できないため、判定対象部位Ｗ２についての波形判定処理での判定結果の表示画面１１上への表示は実行しない。
【００８９】
続いて、処理部３は、表示処理を実行することにより、図９に示すように、判定対象部位Ｗのさらに次の一部である判定対象部位Ｗ３の画像と、それに対応する判定エリアＡ３の画像とを表示画面１１上の領域Ｃ３に表示させると共に、波形判定処理を実行する。この図９に示す例では、比較対象部位としての判定対象部位Ｗ３の一部が、この比較対象部位に対応する判定エリアＡ３に含まれている状態となっている。このため、処理部３は、波形判定処理を実行することにより、判定対象部位Ｗ３が判定エリアＡ３に含まれていると判定すると共に、判定対象部位Ｗ全体としても判定エリアＡ内に含まれていると判定して、判定対象部位Ｗ全体が正常である旨を示す「判定結果：ＯＫ」の文字を表示画面１１上に表示させる。
【００９０】
なお、判定対象部位Ｗの最後の一部である判定対象部位Ｗ４の画像、およびそれに対応する判定エリアＡ４の画像を表示画面１１上の領域Ｃ４に表示させる表示処理と、比較対象部位としての判定対象部位Ｗ４についての波形判定処理とについては、実行してもよいし、実行を停止してもよい。これにより、この判定対象部位Ｗ全体についての波形判定処理と表示処理とが完了する。
【００９１】
一方、図１０に示すように、判定対象部位Ｗが全体として判定エリアＡから外れる状態となる場合もある。この場合には、判定対象部位Ｗの最後の一部である比較対象部位としての判定対象部位Ｗ４についての波形判定処理が完了するまでは、判定対象部位Ｗが全体として正常であるか異常であるかについて判定することはできない。
【００９２】
このため、処理部３は、判定対象部位Ｗ１の画像と判定エリアＡ１の画像とを表示画面１１上の領域Ｃ１に表示させる表示処理および判定対象部位Ｗ１についての波形判定処理、判定対象部位Ｗ２の画像と判定エリアＡ２の画像とを表示画面１１上の領域Ｃ２に表示させる表示処理および判定対象部位Ｗ２についての波形判定処理、並びに判定対象部位Ｗ３の画像と判定エリアＡ３の画像とを表示画面１１上の領域Ｃ３に表示させる表示処理および判定対象部位Ｗ３についての波形判定処理とを実行した後に、判定対象部位Ｗ４の画像と判定エリアＡ４の画像とを表示画面１１上の領域Ｃ４に表示させる表示処理および判定対象部位Ｗ４についての波形判定処理を実行して、判定対象部位Ｗ４が判定エリアＡ４に含まれていないと判定した時点で、すべての判定対象部位Ｗ１，Ｗ２，Ｗ３，Ｗ４が対応する判定エリアＡ１，Ａ２，Ａ３，Ａ４にそれぞれ含まれていないとの判定結果に基づいて、判定対象部位Ｗ全体としても判定エリアＡ内に含まれていないと判定する。また、処理部３は、この判定結果（判定対象部位Ｗ全体が異常である旨）を示す「判定結果：ＮＧ」の文字を表示画面１１上に表示させる。これにより、この判定対象部位Ｗ全体についての波形判定処理と表示処理とが完了する。
【００９３】
このように、比較対象部位としての各判定対象部位Ｗ１，Ｗ２，Ｗ３，Ｗ４と、それに対応する各判定エリアＡ１，Ａ２，Ａ３，Ａ４とを比較して行う各波形判定処理のいずれかにおいて、判定対象部位Ｗの少なくとも一部が判定エリアＡに含まれていると判定されたときに、判定対象部位Ｗ全体が判定エリアＡに含まれている（判定対象部位Ｗ全体として正常である）と判定する構成においては、判定対象信号Ｓ１の判定対象部位Ｗに判定エリアＡに含まれる部位が発生していたときに、この含まれる部位の発生から、より短時間に、この含まれる部位を検出（判定）することができると共に、判定対象部位Ｗが正常であると判定することができる
【００９４】
また、処理部３が波形判定処理を実行して、比較対象部位としての各判定対象部位Ｗ１，Ｗ２，Ｗ３，Ｗ４の少なくとも一部が対応する判定エリアＡ１，Ａ２，Ａ３，Ａ４に含まれていると判定したときに、判定対象部位Ｗ全体が正常である旨を表示部５に表示させることにより、判定対象信号Ｓ１の判定対象部位Ｗに判定エリアＡに含まれる部位が発生して、この判定対象部位Ｗが正常となっていることを目視にて確認することができる。
【００９５】
また、処理部３が各比較対象部位に対する波形判定処理を実行して、判定対象部位に含まれるすべての比較対象部位が全体に亘って判定エリアＡから外れていると判定したときに、判定対象部位Ｗ全体が異常である旨を表示部５に表示させることにより、判定対象信号Ｓ１の判定対象部位Ｗ全体が判定エリアＡから外れて異常となっていることを目視にて確認することができる。
【００９６】
また、処理部３が、記憶部４に上記した一部の波形データＤｗを記憶させる都度、記憶処理を開始した時点から記憶部４に記憶させているこの一部の波形データＤｗまでのすべての波形データＤｗによって示される判定対象部位Ｗの画像と、記憶部４に記憶させているすべての波形データＤｗに対応するエリアデータＤａに対応する判定エリアＡの画像とを表示部５の表示画面１１に重ねて表示させる表示処理を実行する。したがって、波形判定を行う判定対象信号Ｓ１の判定対象部位Ｗについての波形データＤｗをすべて記憶した後に判定対象部位Ｗの全体画像および判定エリアＡの全体画像を表示部５に表示させる構成とは異なり、表示画面１１の表示内容に基づいて、判定対象部位Ｗが判定エリアＡに含まれているか否かの状況を、リアルタイムに近い状態で（より早期に）確認することができる。
【００９７】
また、記憶部４に記憶させた一部の波形データＤｗが予め規定されたデータ量Ｂ２に達する都度、処理部３が波形判定処理を実行することにより、ほぼ一定時間間隔で、判定対象信号Ｓ１の判定対象部位Ｗが判定エリアＡから外れているか否かを判定することができる。
【００９８】
また、判定対象部位Ｗの一部の判定対象部位（比較対象部位としての判定対象部位Ｗ１，Ｗ２，Ｗ３のいずれか）が、対応する判定エリアＡ（判定エリアＡ１，Ａ２，Ａ３のいずれか）に一部でも含まれているときには、判定対象部位Ｗは正常であること（判定エリアＡに含まれていること）が確定する。このため、判定対象部位Ｗの一部の判定対象部位（比較対象部位としての判定対象部位Ｗ１，Ｗ２，Ｗ３のいずれか）が対応する判定エリアＡ（判定エリアＡ１，Ａ２，Ａ３のいずれか）に一部でも含まれている状態であると判定された後の判定対象部位Ｗの一部の判定対象部位（比較対象部位）に対する処理部３による波形判定処理の実行を停止させる構成を採用することもできる。この構成を採用することにより、処理部３の負荷を軽減することができる。
【００９９】
また、この構成を採用した場合には、判定対象部位Ｗの一部の判定対象部位が対応する判定エリアＡに含まれている状態であると判定された後の判定対象部位Ｗの一部の判定対象部位（比較対象部位）の画像とそれに対応する判定エリアＡの画像とを表示部５に表示させる表示処理を処理部３に実行させる構成としてもよいし、この表示処理の実行を停止させる構成としてもよい。この場合、後者の構成を採用することにより、処理部３による波形判定処理の実行と表示処理の実行とを共に停止させる構成とすることができるため、判定対象信号Ｓ１の判定対象部位Ｗに対する波形判定処理に要する時間を短縮することができる。さらに、この後者の構成を採用する場合に、波形判定処理および表示処理と共に、処理部３による記憶処理の実行を停止させる構成を採用することもできる。この構成を採用することにより、処理部３は、現在の判定対象部位Ｗに対する処理をすべて早期に終了させて（現在の判定対象部位Ｗに対する処理に要する時間を短縮して）、判定対象信号Ｓ１における新たな判定対象部位Ｗを検出して判定する動作に早期に移行することができる。
【０１００】
また、上記した比較対象部位としての判定対象部位Ｗ１，Ｗ２，Ｗ３，Ｗ４の少なくとも一部が対応する判定エリアＡ１，Ａ２，Ａ３，Ａ４から外れているときに判定対象部位Ｗ全体が異常であると判定する波形判定処理を実行する上記の例、および判定対象部位Ｗ１，Ｗ２，Ｗ３，Ｗ４の少なくとも一部が対応する判定エリアＡ１，Ａ２，Ａ３，Ａ４に含まれているときに判定対象部位が正常であると判定する波形判定処理を実行する上記の例では共に、表示画面１１を時間軸方向に沿って各領域Ｃ１，Ｃ２，Ｃ３，Ｃ４に分割して、判定対象信号Ｓ１についての各判定対象部位Ｗ１，Ｗ２，Ｗ３，Ｗ４の画像、および各判定対象部位Ｗ１，Ｗ２，Ｗ３，Ｗ４に対応する各判定エリアＡ１，Ａ２，Ａ３，Ａ４の画像を表示させる構成を採用しているが、この構成に限定されるものではない。例えば、図１１に示すように、表示部５の表示画面１１を上下方向（時間軸と直交する方向）に沿って各領域Ｃ１，Ｃ２，Ｃ３，Ｃ４に分割して、判定対象信号Ｓ１についての各判定対象部位Ｗ１，Ｗ２，Ｗ３，Ｗ４の画像、および各判定対象部位Ｗ１，Ｗ２，Ｗ３，Ｗ４に対応する各判定エリアＡ１，Ａ２，Ａ３，Ａ４の画像を領域Ｃ１側から順次表示させる構成を採用することもできる（図１１では一例として、判定対象部位Ｗ１，Ｗ２および判定エリアＡ１，Ａ２のみが表示されている状態を示している）。
【０１０１】
また、波形判定処理での判定結果については、表示部５への表示だけでなく、例えば、判定結果がＮＧのときにのみ警報音を発生させる構成を採用することもできる。また、上記の例では、一例として、判定対象部位Ｗが、そのデータ量Ｂ１と新たに記憶部４に記憶させる波形データＤｗのデータ量Ｂ２との関係で、４つの判定対象部位Ｗ１，Ｗ２，Ｗ３，Ｗ４に分割されているが、この分割数はデータ量Ｂ２に応じて２以上の任意の数とすることができる。また、記憶部４に記憶させる波形データＤｗのデータ量Ｂ２は必ずしも同一（一定）でなくてもよい。例えば、処理部３を構成するＣＰＵの負荷の軽重に応じて、記憶部４に記憶させる波形データＤｗのデータ量Ｂ２を変化させて、波形判定処理を実行する構成を採用することもできる。この構成では、データ量Ｂ２に応じた時間間隔で、判定対象信号Ｓ１の判定対象部位Ｗと判定エリアＡが表示部５に表示される。
【０１０２】
また、上記の例では、基準となる判定対象信号Ｓ１の判定対象部位Ｗの形状と類似する形状であって、この判定対象部位Ｗを含む幅に規定された形状の帯状エリアに判定エリアＡを設定しているが、判定エリアＡの形状はこれに限定されるものではない。例えば、図１２に示すように、表示画面１１の一部を囲む任意の図形（例えば、円形、多角形または楕円形。この例では一例として四角形）を、判定対象部位Ｗに対する判定エリアＡ（Ａ１，Ａ２，Ａ３，Ａ４）として設定することもできる。この例では、一例として、判定対象部位Ｗ１，Ｗ２，Ｗ３，Ｗ４の少なくとも一部が対応する判定エリアＡ１，Ａ２，Ａ３，Ａ４（領域Ｃ１，Ｃ２，Ｃ３，Ｃ４に規定された各判定エリア）に含まれているときに判定対象部位Ｗ全体が正常であると判定する波形判定処理を実行する例であり、領域Ｃ３において、判定対象部位Ｗ３が対応する判定エリアＡ３の一部に含まれているため、判定対象部位Ｗ全体として正常である旨を示す判定結果が表示画面１１に表示されている。
【０１０３】
また、判定エリアＡの他の例として、図１３に示すように、予め規定されたレベルＬｖ１を基準として、レベルＬｖ１以上またはレベルＬｖ１以下を判定エリアＡとして設定する構成（本例では、一例として、レベルＬｖ１以上を判定エリアＡとする構成）を採用することもできる。この例でも、一例として、判定対象部位Ｗ１，Ｗ２，Ｗ３，Ｗ４の少なくとも一部が対応する判定エリアＡ１，Ａ２，Ａ３，Ａ４（判定エリアＡにおける領域Ｃ１，Ｃ２，Ｃ３，Ｃ４にそれぞれ含まれる一部の各判定エリア）に含まれているときに判定対象部位が正常であると判定する波形判定処理を実行する例であり、領域Ｃ２において、判定対象部位Ｗ２が判定エリアＡ（対応する判定エリアＡ２）の一部に含まれているため、判定対象部位Ｗ全体として正常である旨を示す判定結果が表示画面１１に表示されている。
【符号の説明】
【０１０４】
１  波形判定装置
２  測定部
３  処理部
４  記憶部
５  表示部
Ｄａ  エリアデータ
Ｄｗ  波形データ
Ｓ１  判定対象信号
【図１】
2013007565.tif 000003
【図２】
2013007565.tif 000004
【図３】
2013007565.tif 000005
【図４】
2013007565.tif 000006
【図５】
2013007565.tif 000007
【図６】
2013007565.tif 000008
【図７】
2013007565.tif 000009
【図８】
2013007565.tif 000010
【図９】
2013007565.tif 000011
【図１０】
2013007565.tif 000012
【図１１】
2013007565.tif 000013
【図１２】
2013007565.tif 000014
【図１３】
2013007565.tif 000015